(57)【要約】【課題】  遊技場システムの搬送手段で発生した異常を早期に発見して復旧時間の短縮を可能とするとともに、設備コストの低減を図る。【解決手段】  島コントローラ９０の記憶部９２に搬送所要時間情報が記憶されている。また、通信部９１で受信された収納現金実枚数情報が記憶部９２へ送られて記憶される。通信部９１で入金信号が受信されると、入金時刻特定部９４で入金時刻情報が生成され、到着予定時刻算出部９５で、搬送所要時間情報と入金時刻情報とにより到着予定時刻情報が生成される。この到着予定時刻に達すると、収納現金予測部９６で生成された収納現金予測枚数情報と記憶部９２から取り出された収納現金実枚数情報とが異常発生判断部９７で比較され、搬送手段７０で異常が発生したか否かが判断される。【選択図】    図１３
2005111003.tif 000002
【特許請求の範囲】
【請求項１】
少なくとも現金が投入されて遊技媒体を払い出す遊技媒体貸出機と、この遊技媒体貸出機とは別に前記現金を収納する金庫と、前記遊技媒体貸出機から前記金庫へ前記現金を搬送する搬送手段と、前記金庫に収納された前記現金を管理する現金管理装置とを有した遊技場システムであって、
前記遊技媒体貸出機は、
前記投入された現金の金種及び／又は金額を示す入金信号を生成する入金信号生成部と、
前記入金信号を送信する送信部とを有し、
前記金庫は、
前記現金を収納する収納部と、
この収納部に収納された現金を集計する収納現金集計部とを有し、
前記現金管理装置は、
前記入金信号を受信する受信部と、
前記入金信号にもとづいて前記現金の入金時刻を特定する入金時刻特定部と、
前記搬送手段による前記現金の搬送に必要な時間を搬送所要時間として記憶する記憶部と、
前記入金時刻と前記搬送所要時間とにもとづいて、前記現金が前記金庫に到着する到着予定時刻を算出する到着予定時刻算出部と、
前記到着予定時刻及び／又は前記入金信号にもとづいて、前記金庫の前記収納部に収納されている現金を予測する収納現金予測部と、
この収納現金予測部で予測された結果と、前記収納現金集計部で集計された結果とにもとづいて、前記搬送手段で異常が発生したか否かを判断する異常発生判断部とを有した
ことを特徴とする遊技場システム。
【請求項２】
前記現金管理装置が、
前記搬送所要時間を入力する入力部と、
この入力部からの前記搬送所要時間を前記記憶部へ送って記憶させる記憶管理部とを有した
ことを特徴とする請求項１記載の遊技場システム。
【請求項３】
前記現金管理装置の前記入金時刻特定部が、
前記遊技媒体貸出機の前記送信部で前記入金信号が送信された時刻、又は、前記現金管理手段の前記受信部で前記入金信号が受信された時刻のうちいずれかを前記入金時刻として特定する
ことを特徴とする請求項１又は２記載の遊技場システム。
【請求項４】
前記搬送手段で異常が発生したものと前記現金管理装置の前記異常発生判断部で判断されたときに、所定の報知動作を行なう報知手段を有した
ことを特徴とする請求項１〜３のいずれかに記載の遊技場システム。
【請求項５】
遊技媒体貸出機で投入され搬送手段により搬送されて金庫に収納された現金を管理する現金管理装置であって、
前記遊技媒体貸出機からの入金信号を受信する第一の受信部と、
前記金庫に収納された現金の集計結果を受信する第二の受信部と、
前記入金信号にもとづいて前記現金の入金時刻を特定する入金時刻特定部と、
前記搬送手段による前記現金の搬送に必要な時間を搬送所要時間として記憶する記憶部と、
前記入金時刻と前記搬送所要時間とにもとづいて、前記現金が前記金庫に到着する到着予定時刻を算出する到着予定時刻算出部と、
前記到着予定時刻及び／又は前記入金信号にもとづいて、前記金庫の前記収納部に収納されている現金を予測する収納現金予測部と、
この収納現金予測部で予測された結果と、前記金庫に現に収納されている現金の集計結果とにもとづいて、前記搬送手段で異常が発生したか否かを判断する異常発生判断部とを有した
ことを特徴とする現金管理装置。
【請求項６】
遊技媒体貸出機から金庫へ現金を搬送する搬送手段で異常が発生したか否かを判断する搬送異常検出方法であって、
記憶部が、前記搬送手段による前記現金の搬送に必要な時間を搬送所要時間として記憶し、
入金時刻特定部が、前記遊技媒体貸出機から送信されてきた入金信号にもとづいて前記現金の入金時刻を特定し、
到着予定時刻算出部が、前記入金時刻と前記搬送所要時間とにもとづいて、前記現金が前記金庫に到着する到着予定時刻を算出し、
収納現金予測部が、前記到着予定時刻及び／又は前記入金信号にもとづいて、前記金庫に収納されている現金を予測し、
異常発生判断部が、前記収納現金予測部で予測された結果と、前記金庫に現に収納されている現金の集計結果とにもとづいて、前記搬送手段で異常が発生したか否かを判断する
ことを特徴とする搬送異常検出方法。
【発明の詳細な説明】
【技術分野】
【０００１】
本発明は、遊技媒体貸出機で投入された現金を金庫へ搬送して管理する遊技場システム、現金管理装置及び搬送異常検出方法に関し、特に、搬送手段で発生した異常を検出可能な遊技場システム、現金管理装置及び搬送異常検出方法に関する。
【背景技術】
【０００２】
パチンコ機やスロットマシン等に代表される遊技台が複数設置された遊技ホールにおいては、パチンコ玉やメダルなどの遊技媒体を遊技者に貸し出すための遊技媒体貸出機が設置されている。
この遊技媒体貸出機は、遊技者により現金が投入（挿入・入金）されると、この投入された金額の範囲内に応じた量（あるいは、入力キーにより指定された量）の遊技媒体を払い出す装置である。この遊技媒体貸出機は、近年では、遊技台と遊技台との間にいわゆる台間機として設置されることが多い。
【０００３】
また、複数の遊技台や台間機（遊技媒体貸出機）等により構成される島には、さらに、遊技媒体貸出機で投入された紙幣や硬貨などの現金を島端へ搬送する搬送手段や、この搬送手段により搬送されてきた現金を収納する収納手段（島金庫の現金収納部分）、この収納手段に収納された現金を管理する現金収納管理手段（島金庫の現金管理部分）などが備えられている。
【０００４】
ところで、遊技媒体貸出機に投入される紙幣は、新札ばかりでなく、折れていたりシワが寄っていたりする場合があるが、搬送装置においては、そうした紙幣の状態により搬送が停止するなどの異常が発生することがある。
このような搬送手段で発生した異常を検出する技術が、従来から種々提案されている。
【０００５】
たとえば、搬送機構の始端部（紙幣回収部分）近傍に、発光部と受光部からなるセンサを設け、遊技媒体貸出機から紙幣を回収する際に発生した紙幣の詰まりを検出する技術がある（例えば、特許文献１〜２参照。）。
また、透過型あるいは反射型のセンサを紙幣の長辺寸法より若干短い距離間隔で搬送路上に複数連続して配置し、紙幣の滞留を検出する技術がある（例えば、特許文献３参照。）。
これら従来技術において、各センサは、紙幣を検出しているときに検出信号を出力し、異常検出部（異常発生の有無を判断する部分）は、その検出信号の出力時間が所定時間（異常検出用の設定時間）を超過しているときに、異常が発生したものと判断している。
【特許文献１】特許１９２１００５号公報（第４頁、第３図）
【特許文献２】特開２００２−０１１２３４号公報
【特許文献３】特開平６−１４４６４５号公報
【発明の開示】
【発明が解決しようとする課題】
【０００６】
しかしながら、従来技術においては、異常検出用の設定時間が比較的長く設定されていた。
例えば、紙幣が断続的に入金された場合（通常の場合）、センサは、その紙幣が目の前を通過するたびに検出信号を出力していた。このため、検出信号一つ一つの出力時間は比較的短いものとなっていた。
これに対し、紙幣が大量に集中して入金された場合（大量入金時）、搬送手段では、一枚一枚間隔をあけて紙幣を搬送する制御が追いつかなくなり、紙幣が連なって搬送される事態が生じていた。この場合、各紙幣間には隙間がなくなるため、センサからは検出信号が途切れずに連続して出力されていた。
【０００７】
ここで、異常検出用の設定時間が、センサの前を紙幣１〜２枚が通過するのに要する時間に設定されていたとすると、大量入金時の検出信号はその異常検出用の設定時間よりも長い時間出力されていた。このため、異常検出部では、異常が発生したものと判断していた。しかし、搬送手段では異常が発生していないことから、その判断は明らかに誤りであった。
この誤判断を回避するため、異常検出用の設定時間は、紙幣が十数枚〜数十枚程度通過するのに要する時間に設定されていた。
【０００８】
ところが、その設定時間は、誤動作を回避するには有効であるものの、異常が実際に発生してしまった場合には、その発生状態を放置する時間となっていた。このため、設定時間経過後に異常が発生したと判断されてホール従業員に報知されたときは、すでに搬送路内に多くの紙幣が詰まった状態になっており、復旧に相当の時間がかかるという問題が生じていた。
【０００９】
また、従来の搬送手段には、遊技媒体貸出機と同数、あるいは紙幣の長辺寸法より若干短い間隔で多数のセンサが設けられていた。しかも、ホールによっては、遊技台が一つの島に１０台〜３０台以上、ホール全体では数百台も設置されているところもあり、これに合わせてセンサを多いところでは数百個〜千個以上も取り付けなければならなかった。このことから、設備コストがかかっていた。
しかも、そのようにセンサを多数設けていたため、異常検出部を有する装置と各センサとを接続する配線が非常に複雑になるという問題があった。
【００１０】
本発明は、上記の問題を解決すべくなされたものであり、搬送手段で発生した異常を誤判断することなく早期に発見して復旧時間の短縮を可能とするとともに、設備コストの低減を図ることができ、かつ、設備配線の簡素化を可能とする遊技場システム、現金管理装置及び搬送異常検出方法の提供を目的とする。
【課題を解決するための手段】
【００１１】
この目的を達成するため、本発明の遊技場システムは、少なくとも現金が投入されて遊技媒体を払い出す遊技媒体貸出機と、この遊技媒体貸出機とは別に現金を収納する金庫と、遊技媒体貸出機から金庫へ現金を搬送する搬送手段と、金庫に収納された現金を管理する現金管理装置とを有した遊技場システムであって、遊技媒体貸出機は、投入された現金の金種及び／又は金額を示す入金信号を生成する入金信号生成部と、入金信号を送信する送信部とを有し、金庫は、現金を収納する収納部と、この収納部に収納された現金を集計する収納現金集計部とを有し、現金管理装置は、入金信号を受信する受信部と、入金信号にもとづいて現金の入金時刻を特定する入金時刻特定部と、搬送手段による現金の搬送に必要な時間を搬送所要時間として記憶する記憶部と、入金時刻と搬送所要時間とにもとづいて、現金が金庫に到着する到着予定時刻を算出する到着予定時刻算出部と、到着予定時刻及び／又は入金信号にもとづいて、金庫の収納部に収納されている現金を予測する収納現金予測部と、この収納現金予測部で予測された結果と、収納現金集計部で集計された結果とにもとづいて、搬送手段で異常が発生したか否かを判断する異常発生判断部とを有した構成としてある。
【００１２】
遊技場システムをこのような構成とすると、入金信号等にもとづいて算出された現金の投入枚数（収納現金予測枚数）と、金庫に実際に収納されている現金の収納枚数（収納現金実枚数）とを比較して、搬送手段で異常が発生したか否かを判断することができる。
遊技媒体貸出機に投入された現金は、搬送手段により搬送されて金庫へ運ばれ収納される。ここで、搬送手段によりすべての現金が確実に運ばれていれば、遊技媒体貸出機で投入された現金の枚数と、金庫に運び込まれ収納された現金の枚数とは一致するはずである。
【００１３】
ところが、搬送手段で紙幣詰まりなどのトラブル（異常）が発生すると、それら遊技媒体貸出機での投入枚数と金庫での収納枚数とが相違することになる。このため、投入枚数と収納枚数とを比較することで、搬送手段における異常の発生を見つけ出すことができる。
ただし、投入枚数と収納枚数との間に差異が生じる場合としては、搬送手段でトラブルが生じた場合の他、現金を搬送中の場合が考えられる。つまり、遊技媒体貸出機で回収等された現金が搬送中で、未だ金庫に到着していない場合にも、投入枚数と収納枚数との間に差異が生じる。
【００１４】
そこで、投入枚数と収納枚数との比較処理を、到着予定時刻（現金が金庫に到着するものと見込まれる時刻）以降に行うこととした。到着予定時刻以降であれば、本来現金は既に金庫に到着しているはずであり、搬送手段でトラブルが発生しない限り未到着とはならない。つまり、この場合は、現金が未だ搬送中であるということを考える必要がなくなる。このことから、到着予定時刻経過後に、投入枚数と収納枚数との間で差異が生じているときは、搬送手段でトラブルが発生したものと特定できる。
【００１５】
このような構成を備えた本発明の遊技場システムにおいては、搬送手段の内部を通る現金自体を検出する手段は用いられていない。つまり、そのような現金検出手段を用いなくても、搬送手段での異常発生の有無を判断できる。このため、搬送手段にセンサ（現金検出手段）を大量に配置する必要が無くなることから、遊技場システムにおける設備コストの低減を図ることができる。
しかも、現金検出用のセンサが不要となるため、異常検出部を有する装置との間の配線を簡素化できる。
【００１６】
さらに、本発明は、センサを用いて異常を検出する方法ではないため、異常検出用の設定時間を設ける必要がない。このことから、異常検出用の設定時間を長い時間に設定することもなく、このため、搬送手段で紙幣が多く詰まって復旧に時間がかかるといった事態も起こりにくい。しかも、紙幣が集中的に投入されたために検出信号が連続して出力され、これにより搬送手段で異常が発生したものと誤判断されることもない。
【００１７】
このように本発明は、遊技媒体貸出機における現金の投入枚数と、金庫に収納された現金の収納枚数とを比較した結果から、搬送手段での異常の有無を判断するものであるため、到着予定時刻に達した時点で、その判断結果を得ることができる。このため、ホール従業員は、搬送手段で発生した異常を確実かつ早期に発見して、即座に対応でき、復旧時間の短縮を図ることができる。
【００１８】
また、本発明の遊技場システムは、現金管理装置が、搬送所要時間を入力する入力部と、この入力部からの搬送所要時間を記憶部へ送って記憶させる記憶管理部とを有した構成としてある。
遊技場システムをこのような構成とすれば、ホール管理者により、搬送所要時間を入力できる。そして、ホール管理者が適切な搬送所要時間を入力することで、早期かつ確実に、搬送手段で発生した異常を発見できる。
【００１９】
また、本発明の遊技場システムは、現金管理装置の入金時刻特定部が、遊技媒体貸出機の送信部で入金信号が送信された時刻、又は、現金管理手段の受信部で入金信号が受信された時刻のうちいずれかを入金時刻として特定する構成としてある。
遊技場システムをこのような構成とすれば、入金信号自体が入金時刻を示すものでなくても、それら送信時刻又は受信時刻により入金時刻を特定できる。このため、入金信号は、例えば、入金された現金の金種を示すパルス波で形成することができる。
【００２０】
また、本発明の遊技場システムは、搬送手段で異常が発生したものと現金管理装置の異常発生判断部で判断されたときに、所定の報知動作を行なう報知手段を有した構成としてある。
遊技場システムをこのような構成とすれば、搬送手段で異常が発生したことをホール側が知得できる。これにより、ホール側は、発生した異常に早期に対応できる。
【００２１】
また、本発明の現金管理装置は、遊技媒体貸出機で投入され搬送手段により搬送されて金庫に収納された現金を管理する現金管理装置であって、遊技媒体貸出機からの入金信号を受信する第一の受信部と、金庫に収納された現金の集計結果を受信する第二の受信部と、入金信号にもとづいて現金の入金時刻を特定する入金時刻特定部と、搬送手段による現金の搬送に必要な時間を搬送所要時間として記憶する記憶部と、入金時刻と搬送所要時間とにもとづいて、現金が金庫に到着する到着予定時刻を算出する到着予定時刻算出部と、到着予定時刻及び／又は入金信号にもとづいて、金庫の収納部に収納されている現金を予測する収納現金予測部と、この収納現金予測部で予測された結果と、金庫に現に収納されている現金の集計結果とにもとづいて、搬送手段で異常が発生したか否かを判断する異常発生判断部とを有した構成としてある。
【００２２】
現金管理装置をこのような構成とすると、遊技媒体貸出機から送信されてきた入金信号と、収納現金集計部で集計された結果（収納現金実枚数情報）と、予め記憶しておいた搬送所要時間とにもとづいて、搬送手段で異常が発生したか否かを判断できる。
このように現金管理装置においては、搬送手段により現に搬送されている現金を検出しなくても、搬送手段での異常を発見できることから、現金を検出するためのセンサを備える必要がなくなる。このため、遊技場システムの低コスト化が可能となる。
【００２３】
また、本発明の搬送異常検出方法は、遊技媒体貸出機から金庫へ現金を搬送する搬送手段で異常が発生したか否かを判断する搬送異常検出方法であって、記憶部が、搬送手段による現金の搬送に必要な時間を搬送所要時間として記憶し、入金時刻特定部が、遊技媒体貸出機から送信されてきた入金信号にもとづいて現金の入金時刻を特定し、到着予定時刻算出部が、入金時刻と搬送所要時間とにもとづいて、現金が金庫に到着する到着予定時刻を算出し、収納現金予測部が、到着予定時刻及び／又は入金信号にもとづいて、金庫に収納されている現金を予測し、異常発生判断部が、収納現金予測部で予測された結果と、金庫に現に収納されている現金の集計結果とにもとづいて、搬送手段で異常が発生したか否かを判断する方法としてある。
【００２４】
搬送異常検出方法をこのような方法とすれば、搬送手段により搬送されている現金が詰まっているかどうかを検知しなくても、搬送手段で発生した異常を発見できるため、現金詰まりを検知するためのセンサを設ける必要がなくなる。このため、遊技場システムの設備コストを低く抑えることができる。
【発明の効果】
【００２５】
本発明によれば、搬送手段で現金が詰まっていることを検出するためのセンサ（検出手段）を設けなくても、搬送手段で発生した異常を発見できるため、設備コストを低く抑えることができ、しかも、設備配線の簡素化を可能とする。
また、本発明は、搬送手段により搬送されてきた現金が金庫に到着する時刻には、搬送手段で異常が発生したか否かの判断結果を得ることができ、このために、発生した異常へ早期に対応して復旧時間の短縮を図ることができる。
【発明を実施するための最良の形態】
【００２６】
以下、本発明に係る遊技場システム、現金管理装置及び搬送異常検出方法の好ましい実施形態について、図面を参照して説明する。
【００２７】
［実施形態］
まず、本発明の遊技場システムの実施形態について、図１を参照して説明する。
同図は、本実施形態の遊技場システムの構成を示すブロック図である。
同図に示すように、遊技場システム１は、遊技台１０ａ〜１０ｎと、遊技媒体貸出機２０ａ〜２０ｎと、信号線５０ａ〜５０ｎと、台コントローラ６０ａ〜６０ｎと、搬送手段７０と、島端ボックス８０と、島コントローラ９０と、管理コンピュータ１００とを有している。
【００２８】
ここで、遊技台１０ａ〜１０ｎ（以下、略して「遊技台１０」という。）は、メダル，玉，球などに代表される遊技媒体を用いて、所定のゲームを行なう遊技機である。
この遊技台１０には、例えば、スロットマシン，パチンコ機，アレンジボール，雀球機などが含まれる。
【００２９】
遊技媒体貸出機２０ａ〜２０ｎ（以下、略して「遊技媒体貸出機２０」という。）は、図２に示すように、紙幣投入口２１と、硬貨投入口２２と、入力部２３と、遊技媒体払出口２４と、カード挿入口２５とを有している。
紙幣投入口２１は、遊技者等が遊技媒体を借りるために紙幣を投入（挿入）する際の受入口である。
【００３０】
硬貨投入口２２は、遊技者等が遊技媒体を借りるために硬貨を投入（挿入）する際の受入口である。
入力部２３は、暗証番号の入力，遊技媒体の払出数の入力，カードの排出などを行なうためのキーである。
【００３１】
遊技媒体払出口２４は、遊技者に対して遊技媒体を払い出すための排出口である。なお、図２においては、遊技媒体払出口２４の形状がノズル型になっているが、ノズル型に限るものではなく、例えば、遊技媒体貸出機２０の前面下方に受け口を設け、この受け口に遊技媒体を払い出すようにすることもできる。
カード挿入口２５は、遊技者が保有するカード（例えば、プリペイドカード，会員カード，ビジターカードなど）を挿入するための受入口である。
【００３２】
また、遊技媒体貸出機２０は、図３に示すように、紙幣貯留部２６と、硬貨貯留部２７と、紙幣識別検出部２８と、硬貨識別検出部２９と、現金管理部３０と、入金信号送出部３１と、入力管理部３２と、遊技媒体払出管理部３３と、カード検出部３４と、カード管理部３５と、記憶部３６とを有している。
【００３３】
紙幣貯留部２６は、紙幣投入口２１に投入された紙幣を貯めておくための紙幣格納庫である。
硬貨貯留部２７は、硬貨投入口２２に投入された硬貨を貯めておくための硬貨格納庫である。
【００３４】
紙幣識別検出部２８は、紙幣投入口２１に投入された紙幣の金種を検出する。この検出結果は、現金管理部３０へ送られる。
硬貨識別検出部２９は、硬貨投入口２２に投入された硬貨の金種を検出する。この検出結果は、現金管理部３０へ送られる。
なお、本実施形態において、紙幣や硬貨の「識別」には、それら紙幣や硬貨の金種の識別と、それら紙幣や硬貨が使用可能なものか否か（投入された紙幣や硬貨が本物か贋物か）を判断する識別とが含まれる。
【００３５】
現金管理部３０は、図４に示すように、金種判断部３０−１と、入金信号生成部３０−２とを有している。
金種判断部３０−１は、紙幣識別検出部２８から検出結果を受け取ると、この検出結果の示す紙幣の金種を判断し、この判断結果を入金信号生成部３０−２へ送る。
また、金種判断部３０−１は、硬貨識別検出部２９から検出結果を受け取ると、この検出結果の示す硬貨の金種を判断し、この判断結果を入金信号生成部３０−２へ送る。
【００３６】
入金信号生成部３０−２は、金種判断部３０−１から送られてきた判断結果にもとづいて、この判断結果の示す紙幣又は硬貨の金種が示された信号を入金信号として生成し、入金信号送出部３１へ送る。
この入金信号生成部３０−２で生成される入金信号は、波形により紙幣又は硬貨の金種を示す。
このパルス数による金種を示し方については、後記の「金種判断部６２」で説明する。
【００３７】
入金信号送出部（送信部）３１は、現金管理部３０の入金信号生成部３０−２から送られてきた入金信号を、信号線５０を介して台コントローラ６０ａ〜６０ｎへ送信する。
なお、本実施形態においては、入金信号送出部３１による入金信号の送信先を台コントローラ６０としているが、台コントローラ６０に限るものではなく、例えば、島コントローラ９０，管理コンピュータ１００，島端ボックス８０等とすることもできる。
【００３８】
入力管理部３２は、入力部２３での入力操作の内容を判断し、その操作内容に応じた処理を所定の構成部に実行させる。
遊技媒体払出管理部３３は、紙幣投入口２１に投入された紙幣の額，硬貨投入口２２に投入された硬貨の額，入力部２３で遊技媒体に交換すべき金額として入力操作された額にもとづいて、それら額に応じた量の遊技媒体を計数し、遊技媒体払出口２４へ送って払い出す。
【００３９】
カード検出部３４は、カード挿入口２５で挿入されたカードを検出する。また、カード検出部３４は、検出したカードから、所定のデータ（カードデータ）を読み込んでカード管理部３５へ送る。
カード管理部３５は、カード検出部３４で読み込まれたカードデータを受け取って記憶部３６へ送り記憶させる。
なお、本実施形態においては、現金管理部３０，入力管理部３２，遊技媒体払出管理部３３，カード管理部３５を総称して「遊技媒体貸出機管理手段Ａ」という。
【００４０】
記憶部３６は、カード管理部３５から送られてきたカードデータを記憶する。
また、記憶部３６は、現金管理部３０で確認された現金の金種を記憶する。
さらに、記憶部３６は、入力部２３での入力操作の内容や、遊技媒体払出口２４から払い出された遊技媒体の数量などを記憶する。
【００４１】
なお、遊技媒体貸出機２０は、図５に示すように、発行前のカードが収納されているカード収納部３７と、遊技媒体貸出機２０の前面からカードを排出するカード発行口３８と、カード収納部３７から取り出したカードをカード発行口３８へ送り出すカード送出部３９と、カード発行指示を受けてカード送出部３９にカードの発行処理を実行させるカード発行管理部４０とを有することができる。
ここで、カード発行指示とは、入力部２３でカード発行の操作が行なわれたことにもとづいて、入力管理部３２がカード発行管理部４０に対してカード発行を指示するための信号をいう。
また、図５においては、カード挿入口２５とカード発行口３８とがそれぞれ別個の構成となっているが、それらは別個の構成とすることに限るものではなく、同一の構成、すなわち、カードの挿入と発行とが一つの開口部分で行われる構成とすることもできる。
【００４２】
また、本実施形態の遊技媒体貸出機２０には、例えば、現金が投入されて遊技媒体を払い出すもの、投入された現金を挿入されたカードに課金し、この課金した額の全部又は一部を遊技媒体として貸し出すもの、カードの有する有価価値の全部又は一部を遊技媒体として貸し出すものなどが含まれる。
ただし、本発明は、入金信号が金種を示すことを特徴としているため、本実施形態の遊技媒体貸出機２０には、少なくとも現金が投入されて遊技媒体を払い出す機能を有した遊技媒体貸出機が含まれる。
【００４３】
信号線５０ａ〜５０ｎ（以下、略して「信号線５０」という。）は、遊技媒体貸出機２０から台コントローラ６０へ入金信号を送信する線であって、図６（ａ）に示すように、一本２線式の一回線で配線されている。
なお、本実施形態においては、図６（ａ）に示すように、信号線５０を一本２線式で一回線として配線することとしているが、一本２線式に限るものではなく、例えば、一本１線式とすることもできる。
ただし、一本１線式とする場合は、図６（ｂ）に示すように、遊技媒体貸出機２０と台コントローラ６０との間にアース線を設け、遊技媒体貸出機２０から台コントローラ６０へ入金信号を送信する送信線とアース線とで一回線とすることもできる。
【００４４】
また、信号線５０は、金種ごとに設けることもできる。
つまり、一万円紙幣用信号線，五千円紙幣用信号線，二千円紙幣用信号線，千円紙幣用信号線，五百円硬貨用信号線，百円硬貨用信号線をそれぞれ設けることもできる。
この場合は、入金信号がどの信号線を通ったかによって金種を把握することができる。
【００４５】
台コントローラ６０は、図７に示すように、信号線５０を介して遊技媒体貸出機２０から入金信号を受信するインタフェイス（受信部）６１と、このインタフェイス６１から受け取った入金信号にもとづいて現金の金種を判断する金種判断部６２と、判断された金種を示す信号を生成する信号生成部６３と、この信号生成部６３で生成された信号を島コントローラ９０へ送信する送信部６４とを有している。
【００４６】
インタフェイス６１は、信号線５０と接続されており、入金信号を受信する。
金種判断部６２は、インタフェイス６１から受け取った入金信号にもとづいて金種を判断する。
この金種の判断は、次のように行なうことができる。
入金信号が、図８に示すように、一又は二以上のパルス波を出力後、所定時間以上の空白時間が設けられ、続いて、次のパルスが出力されている場合、金種判断部６２は、所定時間以上の空白時間が発生するまでのパルス数をカウントし、このカウントしたパルス数にもとづいて金種を判断する。
【００４７】
入金信号の１パルスが示す金額は予め定められており、この金額にパルス数を乗じた値が金種となる。
例えば、１パルスが１００［円］を示すものと定められており、１０パルスがカウントされたとすると、１００［円］×１０［パルス］＝１０００［円］との計算により、金種は千円紙幣であると判断できる。
なお、本実施形態においては、金種を示す一又は二以上のパルス（二以上の場合はパルス群）を金種表示パルスというものとする。
【００４８】
また、本実施形態においては、入金信号にもとづく金種の判断を台コントローラ６０で行なうこととしているが、台コントローラ６０に限るものではなく、例えば、島コントローラ９０，管理コンピュータ１００，島端ボックス８０等で行なうこともできる。
この場合、島コントローラ９０や管理コンピュータ１００は、入金信号（あるいは、信号波形により金種を表す信号）を受信する機能や、入金信号（あるいは、信号波形により金種を表す信号）にもとづいて金種を判断する機能を有している。
このことから、本実施形態においては、台コントローラ６０，島コントローラ９０，管理コンピュータ１００を総称して「入金管理装置」という。
さらに、本実施形態においては、台ユニット６０から島コントローラ９０へ送信される信号も、遊技媒体貸出機２０で投入された現金の金種又は金額を示す信号であるため、入金信号という。
【００４９】
搬送手段７０は、遊技媒体貸出機２０の紙幣貯留部２６や硬貨貯留部２７から紙幣や硬貨を回収して、島端ボックス８０の現金搬送制御部８１へ搬送する。
この搬送手段７０が紙幣を回収するための構成は、例えば、特許１９２１００５号公報「遊技設備」，特開２００２−０１１２３４号公報「遊技機島管理装置および遊技場管理システム」，特開平６−１４４６４５号公報「遊技島設備」，特開平８−０５２２６８号公報「玉貸装置」，特許２９４０２３３号公報（特開平５−０６２０５４号公報）「紙幣回収装置」に記載の技術により実現可能である。
【００５０】
なお、遊技媒体貸出機２０で投入された紙幣や硬貨を島金庫８２へ送る手法としては、搬送手段７０が紙幣貯留部２６や硬貨貯留部２７から紙幣や硬貨を回収する手法の他、遊技媒体貸出機２０が排出した現金を島端ボックス８０へ搬送する手法などがある。
【００５１】
島端ボックス８０は、図１に示すように、現金搬送制御部８１と、島金庫８２とを有している。
現金搬送制御部８１は、搬送手段７０により搬送されてきた現金を受け取り、島金庫８２へ送る。
【００５２】
島金庫（金庫）８２は、図９に示すように、収納手段８２−１と、現金収納管理手段８２−２とを有している。
収納手段８２−１は、図１０に示すように、現金収納管理手段８２−２の金種識別部８２−２２（後述）で金種が識別された現金を収納する既識別現金収納部８２−１１と、金種が識別されなかった現金を収納する未識別現金収納部８２−１２とを有している。
【００５３】
既識別現金収納部８２−１１は、各金種ごとに収納部を有しており、一万円紙幣収納部８２−１１１と、五千円紙幣収納部８２−１１２と、二千円紙幣収納部８２−１１３と、千円紙幣収納部８２−１１４と、五百円硬貨収納部８２−１１５と、百円硬貨収納部８２−１１６とを備えている。
なお、本実施形態においては、各金種ごとの収納部８２−１１１〜８２−１１６を一つの既識別現金収納部８２−１１に備えているが、各金種ごとの収納部８２−１１１〜８２−１１６は一つの既識別現金収納部８２−１１に備えていることに限るものではなく、例えば、紙幣用の収納部と硬貨用の収納部とは別個に備えた構成とすることもできる。
【００５４】
また、図１０においては、各収納部がそれぞれ一の金種のみ収納することとしているが、各収納部は一の金種のみ収納することに限るものではなく、二つ以上の金種を収納することもできる。例えば、一つの収納部に収納される現金の金種を、一万円紙幣，二千円紙幣，五千円紙幣の三種類とすることができる。
なお、金種が混在して収納部に収納されていても、どの金種が何枚収納されているかは金種識別部８２−２２や収納現金集計部８２−２５で管理・把握されているため、問題は生じない。しかも、二千円紙幣や五千円紙幣は投入枚数が少ないのが通常であるため、他の金種（一万円紙幣など）と一緒の収納部とすることで、二千円紙幣収納部や五千円紙幣収納部を省略して、収納スペースを有効に利用でき、これにより既識別現金収納部ひいては島金庫の小型化を図ることができる。
【００５５】
現金収納管理手段８２−２は、図１１に示すように、現金受取部８２−２１と、金種識別部８２−２２と、現金収納振分部８２−２３と、記憶部８２−２４と、収納現金集計部８２−２５と、信号通信部８２−２６と、通信情報管理部８２−２７とを有している。
【００５６】
現金受取部８２−２１は、搬送手段７０から現金を受け取る。
金種識別部８２−２２は、現金受取部８２−２１で受け取られた現金の金種を識別する。そして、この識別結果を識別信号として収納現金集計部８２−２５と現金収納振分部８２−２３へ送る。
現金収納振分部８２−２３は、識別信号の示す識別結果にもとづき、金種識別部８２−２２で金種が識別できた現金を島金庫８２の既識別現金収納部８２−１１へ、また、金種識別部８２−２２で金種が識別できなかった現金を島金庫８２の未識別現金収納部８２−１２へそれぞれ送って（振り分けて）収納させる。
【００５７】
記憶部８２−２４は、収納手段８２−１における既識別現金収納部８２−１１の各収納部８２−１１１〜８２−１１６にそれぞれ収納されている現金の金種ごとの枚数を既識別現金情報（収納集計値）として記憶する。つまり、記憶部８２−２４は、図１２に示すように、各収納部８２−１１１〜８２−１１６ごとに既識別現金情報を記憶する。
【００５８】
また、記憶部８２−２４は、収納手段８２−１における未識別現金収納部８２−１２に収納された現金の枚数を、未識別現金情報として記憶する。
さらに、記憶部８２−２４は、既識別現金情報と未識別現金情報との総和（収納手段８２−１全体に収納された現金の枚数）を収納現金実枚数情報として記憶する。
【００５９】
収納現金集計部８２−２５は、金種識別部８２−２２から識別信号を受け取ると、この識別信号の示す内容を判断する。判断の結果、識別信号が一つの金種を示すものであるときは、この金種に関する既識別現金情報を記憶部８２−２４から取り出す。
そして、収納現金集計部８２−２５は、その取り出した既識別現金情報の示す収納枚数に「１」を加算し、この加算後の既識別現金情報を記憶部８２−２４へ送って記憶させる。
【００６０】
具体的には、例えば、現金受取部８２−２１で受け取られた現金の金種が千円紙幣であることが金種識別部８２−２２で識別されると、「千円紙幣」を示す識別信号が収納現金集計部８２−２５へ送られる。
収納現金集計部８２−２５で、その識別信号が「千円紙幣」を示すものと判断・特定されると、この「千円紙幣」に関する既識別現金情報が記憶部８２−２４から取り出される。
【００６１】
この取り出された「千円紙幣」の既識別現金情報により示される収納枚数が「３」であるとすると、収納現金集計部８２−２５で「３＋１＝４」の演算が実行され、今度は「４」を示す「千円紙幣」の既識別現金情報が記憶部８２−２４へ送られて記憶される。
なお、金種識別部８２−２２で金種の識別が行なわれた現金（千円紙幣）は、現金収納振分部８２−２３を介して収納手段８２−１へ送られ、既識別現金収納部８２−１１の千円紙幣収納部８２−１１４に収納される。
このような処理・動作により、既識別現金収納部８２−１１の千円紙幣収納部８２−１１４に収納された千円紙幣は、「千円紙幣」の既識別現金情報によって４枚であることが示される。
【００６２】
また、収納現金集計部８２−２５は、金種識別部８２−２２から識別信号を受け取ると、この識別信号の示す内容を判断する。判断の結果、識別信号が金種を識別できなかったこと（あるいは、金種を識別できなかった現金の枚数）を示すものであるときは、記憶部８２−２４から未識別現金枚数情報を取り出す。
そして、収納現金集計部８２−２５は、その取り出した未識別現金枚数情報の示す収納枚数に「１」を加算し、この加算後の未識別現金枚数情報を記憶部８２−２４へ送って記憶させる。
【００６３】
具体的には、例えば、現金受取部８２−２１で受け取られた現金について金種の識別ができないものと金種識別部８２−２２で判断されると、金種が識別できなかったこと（あるいは、金種を識別できなかった現金の枚数）を示す識別信号が収納現金集計部８２−２５へ送られる。
収納現金集計部８２−２５で、その識別信号が金種を識別できなかったこと（あるいは、金種を識別できなかった現金の枚数）を示すものと判断されると、未識別現金枚数情報が記憶部８２−２４から取り出される。
【００６４】
この取り出された未識別現金枚数情報により示される収納枚数が「３」であるとすると、収納現金集計部８２−２５で「３＋１＝４」の演算が実行され、今度は「４」を示す未識別現金枚数情報が記憶部８２−２４へ送られて記憶される。
なお、金種識別部８２−２２で金種の識別ができなかった現金は、現金収納振分部８２−２３を介して収納手段８２−１へ送られ、未識別現金収納部８２−１２に収納される。
このような処理・動作により、未識別現金収納部８２−１２に収納された紙幣は、未識別現金枚数情報によって４枚であることが示される。
なお、収納現金集計部８２−２５は、未識別現金収納部８２−１２に収納された現金の枚数を集計することから、未識別現金集計部としての機能を有している。
【００６５】
さらに、収納現金集計部８２−２５は、既識別現金情報又は未識別現金情報を変更すると、これにともなって収納現金実枚数情報を変更する。
具体的には、例えば、既識別現金情報（あるいは未識別現金情報）の示す現金の枚数に「１」加算すると、記憶部８２−２４から収納現金実枚数情報を取り出し、この収納現金実枚数情報の示す現金の枚数に「１」加算し、この加算後の収納現金実枚数情報を記憶部８２−２４へ送って記憶させる。
なお、収納現金実枚数情報の変更は、既識別現金情報（あるいは未識別現金情報）を変更（加算）したことに伴って変更（加算）することとしてもよく、また、既識別現金情報の示す既識別現金の枚数と未識別現金情報の示す未識別現金の枚数とを加算して求めることもできる。
【００６６】
信号通信部８２−２６は、通信情報管理部８２−２７からの既識別現金情報（収納信号），未識別現金情報，収納現金実枚数情報などを、島コントローラ９０へ送信する。
通信情報管理部８２−２７は、所定のタイミングで、記憶部８２−２４から既識別現金情報（収納信号），未識別現金情報，収納現金実枚数情報などを取り出すと信号通信部８２−２６へ送る。
なお、本実施形態においては、搬送手段７０と島端ボックス８０とを総称して「搬送装置」という。
【００６７】
島コントローラ９０は、図１３に示すように、通信部９１と、記憶部９２と、記憶管理部９３と、入金時刻特定部９４と、到着予定時刻算出部９５と、収納現金予測部９６と、異常発生判断部９７と、入力部９８とを有している。
【００６８】
通信部９１は、台コントローラ６０から送られてきた入金信号を受信する。そして、この受信した入金信号を記憶管理部９３へ送る。このように、通信部９１は、入金信号を受信することから「受信部」又は「第一の受信部」としての機能を有している。
なお、通信部９１は、入金信号を、台コントローラ６０からではなく、遊技媒体貸出機２０から直接受信することもできる。さらに、通信部９１は、入金信号を、管理コンピュータ１００や島端ボックス８０などから受信することもできる。
【００６９】
また、通信部９１は、島端ボックス８０における島金庫８２の信号通信部８２−２６から送られてきた既識別現金情報，未識別現金情報，収納現金実枚数情報などを受信する。そして、これら受信した各情報を記憶管理部９３へ送る。このように、通信部９１は、収納現金実枚数情報を受信することから「受信部」又は「第二の受信部」としての機能を有している。
【００７０】
さらに、通信部９１は、記憶管理部９３から送られてきた異常検出結果情報を管理コンピュータ１００や島端ボックス８０（島金庫８２）へ送る。
これにより、管理コンピュータ１００や島端ボックス８０においては、異常検出結果情報の示す異常発生の内容を画面表示したり報知したりすることができる。
【００７１】
記憶部９２は、搬送所要時間情報，入金時刻情報，到着予定時刻情報，収納現金予測枚数情報，既識別現金情報，未識別現金情報，収納現金実枚数情報，異常検出結果情報などを記憶する。
搬送所要時間情報とは、搬送手段７０により現金が遊技媒体貸出機２０から島金庫８２へ搬送されるのに要する時間（搬送所要時間）を示す情報をいう。
なお、搬送所要時間は、現金の回収時点を起算点とすることもでき、また、現金の投入時点，金種の識別完了時点，遊技媒体の払出し完了時点などを起算点とすることもできる。さらに、搬送所要時間は、遊技媒体貸出機２０の紙幣貯留部２６で待機していた紙幣が搬送手段７０へ送り出される時点や、搬送手段７０が紙幣貯留部２６から紙幣を取り出す時点などを起算点とすることもできる。
【００７２】
ただし、搬送所要時間の起算点と、入金信号が遊技媒体貸出機２０から台コントローラ６０（あるいは島コントローラ９０や管理コンピュータ１００）へ送信されるタイミングとは同じ時点とするのが望ましい。これを実現する場合、入金信号送出部３１は、起算点に関係する構成部分（例えば、紙幣貯留部２６で待機していた紙幣が搬送手段７０へ送り出される時点を起算点とするときは、紙幣貯留部２６）から、所定の動作や処理が実行又は終了した旨を示す信号を受け取ると、入金信号を送信する。
【００７３】
また、搬送所要時間は、各遊技媒体貸出機２０ごとに異なった値を設定することもできる。これは、遊技媒体貸出機２０と島金庫８２との距離によって搬送時間が異なるためである。この場合、入金信号は、遊技媒体貸出機２０を特定する情報を含む。そして、到着予定時刻算出部９５においては、その入金信号により特定された遊技媒体貸出機２０に対応する搬送所要時間が記憶部９２から取り出され、この搬送所要時間と入金時刻とにもとづいて到着予定時刻が算出される。
ただし、搬送手段７０による搬送が、遊技媒体貸出機２０と島金庫８２との距離に関係なく一定時間内に行われるものとする場合は、搬送所要時間は、一つの値（一律の値）で設定することもできる。
【００７４】
入金時刻情報とは、入金信号にもとづいて算出された入金時刻（入金タイミング）を示す情報である。この算出方法については、後記の「入金時刻特定部９４」の説明で詳述する。
到着予定時刻情報とは、搬送手段７０により搬送されてきた現金が島端ボックス８０（島金庫８２）に到着することが予定される時刻（到着予定時刻）を示す情報である。この算出方法については、後記の「到着予定時刻算出部９５」の説明で詳述する。
【００７５】
収納現金予測枚数情報とは、島金庫８０の収納手段８２に収納されている現金の予測総枚数を示す情報であって、入金信号等にもとづいて算出されたものをいう。この収納現金予測枚数情報の算出方法については、後記の「収納現金予測部９６」の説明で詳述する。
異常検出結果情報とは、搬送手段７０で異常が発生したか否かについて異常発生判断部９７で判断された結果を示す情報である。この異常検出結果情報には、異常発生の有無の他、発生した異常の内容を含めることができる。
【００７６】
記憶管理部９３は、通信部９１からの既識別現金情報，未識別現金情報，収納現金実枚数情報等を記憶部９２へ送って記憶させる。
また、記憶管理部９３は、記憶部９２から取り出した異常検出結果情報を通信部９１へ送る。
さらに、記憶管理部９３は、島コントローラ９０の構成各部と記憶部９２との間で所定の情報（あるいはデータ）のやりとりを行なう。
【００７７】
また、記憶管理部９３は、入力部９８で入力された搬送所要時間を搬送所要時間情報として記憶部９２へ送り記憶させる。
これにより、ホール従業員は、任意の搬送所要時間を自ら設定可能となる。また、適切な搬送所要時間を設定することで、搬送手段７０における異常発生の検出を確実かつ正確に行わせることができる。
【００７８】
入金時刻特定部９４は、入金信号にもとづいて入金時刻（入金タイミング）を特定する。
入金時刻の特定方法としては、例えば、通信部９１で入金信号が受信された時刻を入金時刻として特定する方法などがある。この場合、入金時刻特定部９４は、通信部９１で入金信号が受信されたことを検出し、この検出した時刻を入金時刻とする。
【００７９】
ただし、入金時刻は、島端ボックス８０の収納手段８２−１に現金が到着する時刻を算出するために用いられる情報であるため、遊技媒体貸出機２０で現金が回収された時刻と一致していることが望ましい。
このため、入金時刻の特定方法としては、上記の他に、例えば、遊技媒体貸出機２０の入金信号送出部（送信部）３１で入金信号が送信された時刻などを入金時刻として特定することができる。
この入金時刻特定部９４で特定された入金時刻は、入金時刻情報として生成され、記憶部９２へ送られ記憶される。
【００８０】
到着予定時刻算出部９５は、記憶部９２から入金時刻情報と搬送所要時間情報とを取り出すと、入金時刻情報の示す入金時刻に搬送所要時間情報の示す搬送所要時間を加算することで到着予定時刻を算出する。
具体的には、例えば、入金時刻情報の示す入金時刻が「１３時３５分」であって、搬送所要時間情報の示す搬送所要時間が「１分」であるときは、到着予定時間は「１３時３６分」として算出される。
この算出された到着予定時刻は、到着予定時刻情報として生成され、記憶部９２へ送られ記憶される。
【００８１】
収納現金予測部９６は、記憶部９２から到着予定時刻情報を取り出すと、この到着予定時刻情報の示す到着予定時刻に達したか否かを判断する。そして、到着予定時刻に達した時点で、記憶部９２から収納現金予測枚数情報を取り出して「１」を加算する（収納現金予測枚数情報の演算処理）。そして、この加算後の収納現金予測枚数情報を記憶部９２へ送って記憶させる。
このように収納現金予測部９６で収納現金予測枚数情報が加算されることにより、島金庫８２の収納手段８２−２に収納されている現金を入金信号にもとづいて予測できる。
なお、収納現金予測枚数情報の生成は、到着予定時刻に達する前に行うこともできる。つまり、収納現金予測部９６は、入金信号が通信部９１で受信された時点で、収納現金予測枚数情報に「１」を加算することもできる。
【００８２】
異常発生判断部９７は、記憶部９２から収納現金予測枚数情報と収納現金実枚数情報とを取り出すと、これら情報の示す各枚数を比較して、搬送手段７０で異常が発生したか否かを判断する。
例えば、収納現金予測枚数情報の示す枚数と収納現金実枚数情報の示す枚数とが一致しているときは、遊技媒体貸出機２０で投入（入金）された現金が搬送手段７０により確実に搬送され島金庫８２に収納されており、搬送手段７０で現金の詰まり（異常）は発生していないものと判断できる。
【００８３】
一方、収納現金予測枚数情報の示す枚数と収納現金実枚数情報の示す枚数とが相違しているときは、遊技媒体貸出機２０で投入（入金）された現金の一部が島金庫８２に収納されておらず、搬送手段７０の途中で詰まっている（異常が発生している）ものと判断できる。
これら判断の結果は、異常検出結果情報として記憶部９２へ送られ記憶される。
【００８４】
入力部９８は、複数のキーやタッチパネルなどで構成でき、例えば、搬送所要時間などを入力できる。この入力部９８を備えることにより、ホール側が任意に搬送所要時間を設定入力できる。
なお、入力部９８は、省略可能である。
【００８５】
また、島コントローラ９０には、所定のカードを発行する発券機や、会員カードの残高を精算する精算機、さらには課金機などを接続することができる。なお、これら発券機，精算機，課金機は、図示していない。
また、島コントローラ９０は、出金信号を送出する機能も有することができる。
【００８６】
さらに、島コントローラ９０には、図１４に示すように、報知手段１１０と報知制御部９９とを備えることができる。
報知手段１１０は、発光器具やブザーなどで構成されており、報知制御部９９の制御により、搬送手段７０で異常が発生したことを報知する。
【００８７】
なお、報知手段１１０は、島コントローラ９０の内部に設けることもでき、また、外部に設けて島コントローラ９０と接続することもできる。
また、報知手段１１０は、島コントローラ９０の近傍に設けることもでき、さらには、各遊技台１０や遊技媒体貸出機２０の近傍、あるいは、島端ボックス８０などに設けることもできる。
【００８８】
報知制御部９９は、搬送手段７０で異常が発生したものと異常発生判断部９７で判断されると、報知手段１１０へ所定の信号を送って動作させる。
なお、本実施形態においては、報知方法として、発光や音声出力を用いているが、これらの方法に限るものではなく、例えば、ホール従業員が所持するインカムへの発報や、管理コンピュータ１００への送信（管理コンピュータ１００における異常発生の表示）などを行わせることもできる。
【００８９】
このように、島コントローラ９０は、入金信号の受信（通信部９１），入金信号にもとづく現金の入金時刻の特定（入金時刻情報の生成、入金時刻特定部９４），搬送所要時間（搬送手段による現金の搬送に必要とされる時間）の記憶（記憶部９２），入金時刻情報と搬送所要時間とにもとづく到着予定時刻の算出（到着予定時刻算出部９５），到着予定時刻にもとづく収納現金の予測（収納現金予測部９６），収納現金の予測結果と集計結果とにもとづく搬送手段での異常発生の判断（異常発生判断部９７）等を実行することから「現金管理装置」としての機能を有している。
【００９０】
なお、本実施形態においては、「現金管理装置」としての機能を島コントローラ９０が有することとしているが、島コントローラ９０が有することに限るものではなく、例えば、管理コンピュータ１００，台コントローラ６０，島端ボックス８０などが有することもできる。また、島コントローラ９０，管理コンピュータ１００，台コントローラ６０，島端ボックス８０等とは別個の構成として、遊技場システム１上に、独立した「現金管理装置」を備えることもできる。
【００９１】
管理コンピュータ１００は、島コントローラ９０から送信されてきた入金信号にもとづく売上合計金額と、同じく島コントローラ９０から送信されてきた既識別現金情報や未識別現金情報にもとづく入金合計金額とを比較して、島金庫８２に収納されている金種毎の現金の管理を行なう。
なお、管理コンピュータ１００は、入金信号を、島コントローラ９０ではなく、台コントローラ６０や遊技媒体貸出機２０から受信することもできる。
また、管理コンピュータ１００は、既識別現金信号や未識別現金情報を、島コントローラ９０ではなく、島端ボックス８０の島金庫８２（後述）から受信することもできる。
【００９２】
次に、搬送手段で発生した異常を発見する方法（搬送異常検出方法）について、図１５を参照して説明する。
同図は、島コントローラ９０における搬送異常検出方法の処理手順を示すフローチャートである。
【００９３】
同図に示すように、島コントローラ９０の記憶部９２には、搬送所要時間情報が記憶されている（ステップ１０）。なお、この搬送所要時間情報は、入力部９８でホール従業員等により入力設定可能である。
通信部９１で収納現金実枚数情報が受信されると、記憶管理部９３を介して記憶部９２へ送られ記憶される（ステップ１１）。
【００９４】
また、通信部９１で入金信号が受信されると（ステップ１２）、入金時刻特定部９４で、その入金信号にもとづいて入金時刻（入金タイミング）が特定され、入金時刻情報として生成される（ステップ１３）。この生成された入金時刻情報は、記憶部９２へ送られて記憶される。
次いで、到着予定時刻算出部９５において、搬送所要時間情報と入金時刻情報とにもとづいて、到着予定時刻情報が生成される（ステップ１４）。この生成された到着予定時刻情報も、記憶部９２へ送られて記憶される。
【００９５】
続いて、収納現金予測部９６において、到着予定時刻情報の示す到着予定時刻に達したか否かが判断される（ステップ１５）。
判断の結果、到着予定時刻に達していないときは、達するまで、その判断が繰り返される。
一方、到着予定時刻に達したときは、収納現金予測部９６において、到着予定時刻情報にもとづき、収納現金予測枚数情報に「１」を加算する演算処理が実行される（ステップ１６）。つまり、収納現金予測部９６において、記憶部９２から収納現金予測枚数情報が取り出され、到着予定時刻に達したことで現金が島金庫８２に到着したものと判断されて、収納現金予測枚数情報に「１」が加算される。この加算演算された収納現金予測枚数情報が記憶部９２へ送られて記憶される。
【００９６】
そして、異常発生判断部９７において、収納現金予測枚数情報と収納現金実枚数情報とが記憶部９２から取り出されて比較される（ステップ１７）。
比較の結果、それら収納現金予測枚数情報の示す現金の枚数と収納現金実枚数情報の示す現金の枚数とが一致しているときは、搬送手段７０での搬送が正常であると判断される（ステップ１８）。
【００９７】
一方、収納現金予測枚数情報の示す現金の枚数と収納現金実枚数情報の示す現金の枚数とが相違しているときは、搬送手段７０で異常（搬送手段７０における現金の詰まり）が発生したものと判断される（ステップ１９）。
この場合、報知制御部９９の制御により、報知手段１１０で異常発生の報知が行われる（ステップ２０）。
【００９８】
その後、通信部９１で入金信号が受信されたときは（ステップ２１）、ステップ１３からステップ２１までの処理が繰り返される。
なお、入金信号が受信されるごとにステップ１３からステップ２１までの処理が実行されると、図１６に示すように、島コントローラ９０の記憶部９２には、「入金信号番号」，「入金時刻（入金時刻情報）」，「到着予定時刻（到着予定時刻情報）」，「収納現金予測枚数（収納現金予測枚数情報）」，「収納現金実枚数（収納現金実枚数情報）」，「異常判断結果（異常判断結果情報）」がそれぞれ記憶されていく。これにより、各情報の変化（推移）や異常発生時点などを確認できる。
【００９９】
以上、本発明の遊技場システム、現金管理装置及び搬送異常検出方法の好ましい実施形態について説明したが、本発明に係る遊技場システム、現金管理装置及び搬送異常検出方法は上述した実施形態にのみ限定されるものではなく、本発明の範囲で種々の変更実施が可能であることは言うまでもない。
【０１００】
例えば、上述した実施形態では、収納現金予測枚数情報の示す収納現金予測枚数と収納現金実枚数情報の示す収納現金実枚数との比較、つまり、入金信号にもとづいて算出した収納現金の予測総枚数と収納手段に現実に収納されている収納現金の総枚数とを比較して、搬送手段での異常発生の有無を判断することとしているが、これだけでなく、さらに、その搬送手段で詰まった紙幣がどの金種かを特定することもできる。
具体的には、たとえば、収納現金実枚数情報を、図１２に示すように、金種ごとの収納枚数を示す既識別現金情報と、未識別現金収納部に収納された現金の枚数を示す未識別現金情報とで集計した値としておく。また、収納現金予測枚数情報についても、入金信号にもとづき、図１７に示すように、金種ごとの収納予測枚数で集計しておく。そして、各金種ごとに、収納現金実枚数情報と収納現金予測枚数情報とを比較し、差異のある金種があれば、この金種の現金が搬送手段で詰まっていると判断できる。
なお、図１２に示す既識別現金情報と図１７に示す収納現金予測枚数情報とを比較すると、千円紙幣収納部の各枚数がそれぞれ「１２８８枚」と「１２８７枚」となっており相違している。このことから、搬送手段で詰まっている紙幣は千円紙幣であると判断できる。
【０１０１】
また、本発明により発見できるトラブルの具体例として、上記実施形態では「搬送手段における紙幣の詰まり」を挙げたが、これに限るものではなく、例えば、搬送手段からの紙幣の窃盗・盗難（搬送手段から紙幣を不正に抜き取ることや、正当に取り出した後隠し持つ（持ち去る）こと）なども挙げることができる。
従来の遊技場システム（搬送手段）においては、紙幣の搬送状況をセンサで検出していた。この場合、センサの前に紙幣が一定時間以上留まることで、その滞留を紙幣詰まりとして検出できた。ところが、紙幣の窃盗については、搬送手段内に紙幣が存在しなくなるため、センサで検出できなかった。ただし、遊技媒体貸出機における現金の投入枚数と島金庫に収納されている現金収納実枚数とを比較することで発見可能ではある。しかし、この比較は、閉店後でなければ行えない処理であった。このため、紙幣の窃盗は、従来では、営業時間内ではなく閉店後に漸く発見できるものであった。
【０１０２】
これに対し、本発明は、現金投入枚数と収納現金実枚数とを自動的に比較可能とし（自動比較判断処理）、この比較の結果からトラブルの発生を検出するものである。このように本発明は、センサを用いないことから、搬送手段内に紙幣が存在するか否かに関係なく、発生したトラブルを検出できる。しかも、営業時間中も随時自動比較判断処理を実行できることから、閉店処理の結果がまとまるのを待つまでもなく、営業時間中しかもトラブルの発生直後に、その検出を行うことができ、早期発見・早期対応が可能となる。ましてや、現金管理装置（島コントローラ等）で紙幣の到着予定時刻も管理されていることから、トラブルの発生時刻を特定できる。
【０１０３】
また、島金庫に収納される現金の金種は六種類（一万円紙幣，五千円紙幣，二千円紙幣，千円紙幣，五百円硬貨，百円硬貨）としてあるが、これら六種類に限るものではなく、今後金種が増えた場合には、その増えた金種についても本発明を利用可能である。
【０１０４】
さらに、図１においては、遊技場システムが台コントローラや島コントローラと備えた構成としてあるが、台コントローラや島コントローラを備えた構成に限るものではなく、たとえば、台コントローラの機能を島コントローラが有して台コントローラを省略することもでき、また、台コントローラや島コントローラの機能を管理コンピュータが有して台コントローラや島コントローラを省略することもできる。
【産業上の利用可能性】
【０１０５】
本発明は、搬送手段で発生した異常を発見するためのシステム，装置，方法であるため、現金等を搬送する装置を備えたシステムなどに利用可能である。
【図面の簡単な説明】
【０１０６】
【図１】本発明の遊技場システムの構成を示すブロック図である。
【図２】本発明の遊技媒体貸出機の前面構成を示す正面図である。
【図３】本発明の遊技媒体貸出機の内部構成を示すブロック図である。
【図４】遊技媒体貸出機の現金管理部の構成を示すブロック図である。
【図５】本発明の遊技媒体貸出機における他の内部構成を示すブロック図である。
【図６】信号線の配設例を示す図であって、（ａ）は、一本２線式の場合、（ｂ）は、一本１線式の場合である。
【図７】遊技媒体貸出機、信号線及び台コントローラの構成を示すブロック図である。
【図８】入金信号の形状を示す波形図である。
【図９】島金庫の構成を示すブロック図である。
【図１０】島金庫の収納手段の構成を示すブロック図である。
【図１１】島金庫の現金収納管理手段の構成を示すブロック図である。
【図１２】既識別現金情報の例を示す図表である。
【図１３】島コントローラの構成を示すブロック図である。
【図１４】島コントローラの他の構成を示すブロック図である。
【図１５】搬送手段で異常が発生したか否かを判断する方法（搬送異常検出方法）の処理手順を示すフローチャートである。
【図１６】「入金時刻」，「到着予定時刻」，「収納現金予測枚数」，「収納現金実枚数」，「異常判断結果」等の処理経過を示す図表である。
【図１７】収納現金予測枚数情報の具体例を示す図表である。
【符号の説明】
【０１０７】
１  遊技場システム
１０  遊技台
２０  遊技媒体貸出機
３０  現金管理部
３０−１  金種判断部
３０−２  入金信号生成部
３１  入金信号送出部
５０  信号線
６０  台コントローラ
７０  搬送手段
８０  島端ボックス
８１  現金搬送制御部
８２  島金庫
８２−１  収納手段
８２−１１  既識別現金収納部
８２−１２  未識別現金収納部
８２−２  現金収納管理手段
８２−２１  現金受取部
８２−２２  金種識別部
８２−２３  現金収納振分部
８２−２４  記憶部
８２−２５  収納現金集計部
８２−２６  信号通信部
８２−２７  通信情報管理部
９０  島コントローラ
９１  通信部
９２  記憶部
９３  記憶管理部
９４  入金時刻特定部
９５  到着予定時刻算出部
９６  収納現金予測部
９７  異常発生判断部
９８  入力部
９９  報知制御部
１００  管理コンピュータ
１１０  報知手段
【図１】
2005111003.tif 000003
【図２】
2005111003.tif 000004
【図３】
2005111003.tif 000005
【図４】
2005111003.tif 000006
【図５】
2005111003.tif 000007
【図６】
2005111003.tif 000008
【図７】
2005111003.tif 000009
【図８】
2005111003.tif 000010
【図９】
2005111003.tif 000011
【図１０】
2005111003.tif 000012
【図１１】
2005111003.tif 000013
【図１２】
2005111003.tif 000014
【図１３】
2005111003.tif 000015
【図１４】
2005111003.tif 000016
【図１５】
2005111003.tif 000017
【図１６】
2005111003.tif 000018
【図１７】
2005111003.tif 000019